(57)【要約】  本願では表示パネル及び表示装置が提供される。その表示パネルは複数個のサブ画素を有する。各サブ画素は、発光ユニットと、その発光ユニットの第１電極に電気的に接続された駆動スイッチとを有する。上記複数個のサブ画素内の発光ユニット群により画素アレイが形成される。その画素アレイの少なくとも１個の画素カラム内の複数個の発光ユニットが少なくとも二色のサブ画素に対応する。上記複数個のサブ画素内の駆動スイッチ群により駆動アレイが形成される。その駆動アレイにて、上記少なくとも１個の画素カラムに対応接続された駆動カラムのうち、少なくとも１個の駆動カラム内の複数個の駆動スイッチにより同一色の発光ユニットを駆動制御する。従って、対応する駆動カラムを、単一のスイッチ素子を用い周辺駆動回路に接続することができ、ひいてはそのスイッチ素子に接続される周辺駆動回路の構造を単純化することができる。
2020510883.tif 000002
【特許請求の範囲】
【請求項１】
表示領域内に形成された複数個のサブ画素を備え、各サブ画素が発光ユニット及び駆動スイッチを備え、その発光ユニットが第１電極を備え、上記駆動スイッチがその第１電極に電気的に接続されており、上記複数個のサブ画素内の発光ユニット群が複数個の画素カラムを備える画素アレイを形成しており、その画素アレイの少なくとも１個の画素カラム内の発光ユニット群が相異なる少なくとも二色のサブ画素群に対応しており、上記複数個のサブ画素内の駆動スイッチ群が駆動アレイを形成しており、その駆動アレイ内にあり、上記少なくとも１個の画素カラムに対応接続されている駆動カラムのうち、少なくとも１個の駆動カラム内の駆動スイッチが、同一色の発光ユニットを駆動制御する表示パネル。
【請求項２】
請求項１の表示パネルであって、更に、非表示領域内に所在する周辺駆動回路を備え、その周辺駆動回路が、上記駆動スイッチ群にデータ信号群を供給するソース駆動回路を備える表示パネル。
【請求項３】
請求項２の表示パネルであって、更に複数個のスイッチ素子を備え、上記ソース駆動回路が、同一駆動カラム内にあり相異なる色に対応している駆動スイッチ群向けに、別々のスイッチ素子により相応なデータ信号群を供給する表示パネル。
【請求項４】
請求項３の表示パネルであって、上記ソース駆動回路が複数本のスイッチ信号ライン及び複数本のデータ信号ラインを備え、上記スイッチ素子群がそれらスイッチ信号ライン及びデータ信号ラインに接続されており、上記スイッチ信号ラインが上記スイッチ素子の導通を制御するのに用いられ、上記データ信号ラインが上記スイッチ素子により相応色の駆動スイッチ向けにデータ信号を供給する表示パネル。
【請求項５】
請求項４の表示パネルであって、別々の駆動カラム内にあり同一色の駆動スイッチに対応するスイッチ素子それぞれが同一のスイッチ信号ラインに接続されている表示パネル。
【請求項６】
請求項４の表示パネルであって、同一色対応でない駆動カラムそれぞれにて、その駆動カラム内の複数個の駆動スイッチが少なくとも二色のサブ画素群に対応する表示パネル。
【請求項７】
請求項１の表示パネルであって、上記複数個のサブ画素の発光ユニット群が相異なる三色に対応しており、そのうち一色に対応する駆動スイッチが独立的に且つカラム方向に沿い反復的に配列される一方、他の二色に対応する駆動スイッチがカラム方向に交互配列されている表示パネル。
【請求項８】
請求項１の表示パネルであって、上記複数個のサブ画素の発光ユニット群が相異なる四色に対応しており、それら相異なる四色のうち二色に対応する駆動スイッチが独立的に且つ個々のカラム内に反復的に配列される一方、他の二色に対応する駆動スイッチがカラム方向に沿い交互配列されている表示パネル。
【請求項９】
請求項１の表示パネルであって、各駆動スイッチがコンタクトホールを介し第１電極に電気的に接続されており、同一所定色に対応する駆動カラムが隣り合う２個の画素カラム間に配列されており、上記同一所定色に対応する第１電極が、上記２個の画素カラム間の領域へと延びて、当該同一所定色に対応する駆動スイッチのコンタクトホールに接続されている表示パネル。
【請求項１０】
請求項１の表示パネルであって、上記複数個のサブ画素が相異なる三色に対応しており、上記画素アレイのカラム方向にはそれら相異なる三色に対応する発光ユニットが順次配列され、その画素アレイのロー方向には同一色に対応する発光ユニットがカラム方向沿い千鳥配置されている表示パネル。
【請求項１１】
請求項１の表示パネルであって、アレイをなし配列された複数個の画素ユニットが複数個のサブ画素により形成されており、各画素ユニットが、別々の色に対応する３個のサブ画素を備え、各画素ユニット内のそれら３個のサブ画素の発光ユニットが上記画素アレイの隣り合う２個のカラム内に配列されている表示パネル。
【請求項１２】
請求項１の表示パネルであって、各画素ユニットをロー方向に沿い１８０°反転させることで得られる配列構造が、同カラム内隣接画素ユニットの配列構造とそっくりな表示パネル。
【請求項１３】
請求項１乃至１２のうちいずれか一項に記載の表示パネルを備える表示装置。
【発明の詳細な説明】
【技術分野】
【０００１】
本願はパネル表示テクノロジの分野に関し、とりわけ表示パネル及び表示装置に関する。
【背景技術】
【０００２】
近年、液晶表示パネル、プラズマ表示パネル、エレクトロウェッティング表示パネル、電気泳動表示パネル、有機発光表示パネル等、多種類の表示パネルが国内外で開発されてきた。加えて、画素表示分解能が改善されるよう種々の画素配列が創出されている。
【０００３】
従来型表示パネルの画素配列では、サブ画素がロー方向に沿いＲＧＢシーケンスに従い順次配列され、それにより規則的な画素アレイが形成されている。その画素アレイのカラム方向沿いにある複数個のサブ画素が同一色に対応している。しかしながら、このようにカラム方向沿いサブ画素が対応色同一である画素配列では、その表示分解能が不満足なものとなる。そのため、ロー方向沿い順次ＲＧＢシーケンスを基礎とせずカラム方向沿いサブ画素群が複数色に対応する多くの画素配列が創出されている。そうした不規則配列で表示分解能を改善し所望の表示効果を達成することができる。
【０００４】
表示分解能の改善はあれど、この表示パネル向け不規則画素配列では、画素アレイに電気的に接続された駆動アレイの各カラム内の駆動スイッチ群も、複数色に対応している。従って、少なくとも２本のデータラインを駆動カラム毎に設ける必要がある。それ故に、その表示パネルの非表示領域内の周辺駆動回路を多数のデータラインで以て構成する必要があることが、周辺駆動回路内データラインに接続される構造の複雑化につながっている。しかしながら、周辺駆動回路の複雑化は、通常、その表示パネルの表示効果に影響を及ぼす。例えばその周辺駆動回路がセルテスト（ＣＴ）回路であるとき、通常は、ＣＴ回路が複雑である場合に、画面タッピング中に黒色帯からなるムラ（mura）の問題が発生する。
【０００５】
お分かりの通り、表示パネルの表示効果を確保するという前提下で周辺駆動回路をどのように最適化するかが、非常に重要なことである。
【発明の概要】
【発明が解決しようとする課題】
【０００６】
本願の目的は、従来技術における表示パネルの表示分解能の増強を経ることで周辺駆動回路の構造が複雑化する問題が解決されるよう、表示パネルを提供することにある。
【課題を解決するための手段】
【０００７】
上掲の問題を解決すべく、本願では、表示領域内に形成された複数個のサブ画素を有し、各サブ画素が発光ユニット及び駆動スイッチを有し、その発光ユニットが第１電極を有し、当該駆動スイッチがその第１電極に電気的に接続されており、当該複数個のサブ画素内の発光ユニット群が複数個の画素カラムを有する画素アレイを形成しており、その画素アレイの少なくとも１個の画素カラム内の発光ユニット群が相異なる少なくとも二色のサブ画素群に対応しており、当該複数個のサブ画素内の駆動スイッチ群が駆動アレイを形成しており、その駆動アレイにて、当該少なくとも１個の画素カラムに対応接続されている駆動カラムのうち少なくとも１個の駆動カラム内の駆動スイッチ群が、同一色の発光ユニット群を駆動制御する表示パネルを、提案する。
【０００８】
付随的には、本表示パネルを、更に、非表示領域内に所在する周辺駆動回路を有するものとし、その周辺駆動回路に備わるソース駆動回路により上記駆動スイッチ群にデータ信号群を供給する。
【０００９】
付随的には、本表示パネルを、更に複数個のスイッチ素子を有するものとし、上記ソース駆動回路により、同一駆動カラム内にあり相異なる色に対応している駆動スイッチ群向けに、別々のスイッチ素子により相応なデータ信号群を供給する。
【００１０】
付随的には、上記ソース駆動回路を、複数本のスイッチ信号ライン及び複数本のデータ信号ラインを有するものとし、上記スイッチ素子をそれらスイッチ信号ライン及びデータ信号ラインに接続し、そのスイッチ信号ラインを用いそのスイッチ素子の導通を制御し、そのデータ信号ラインがそのスイッチ素子により相応色の駆動スイッチ群向けにデータ信号を供給する。
【００１１】
付随的には、別々の駆動カラム内にあり同一色の駆動スイッチに対応しているスイッチ素子それぞれを同一のスイッチ信号ラインに接続する。
【００１２】
付随的には、同一色対応でない駆動カラムそれぞれにて、その駆動カラム内の複数個の駆動スイッチを少なくとも二色に対応させる。
【００１３】
付随的には、上記複数個のサブ画素の発光ユニット群を相異なる三色に対応させ、そのうち一色に対応する駆動スイッチを独立的に且つカラム方向に沿い反復的に配列する一方、他の二色に対応する駆動スイッチをカラム方向に交互配列する。
【００１４】
付随的には、上記複数個のサブ画素の発光ユニット群を相異なる四色に対応させ、それら相異なる四色のうち二色に対応する駆動スイッチを独立的に且つ個々のカラム内に反復的に配列する一方、他の二色に対応する駆動スイッチをカラム方向に沿い交互配列する。
【００１５】
付随的には、各駆動スイッチをコンタクトホールを介し第１電極に電気的に接続し、同一所定色に対応する駆動カラムを隣り合う２個の画素カラム間に配列し、当該同一所定色に対応する第１電極を、当該２個の画素カラム間の領域へと延ばし、当該同一所定色に対応する駆動スイッチのコンタクトホールに接続する。
【００１６】
付随的には、上記複数個のサブ画素を相異なる三色に対応させ、上記画素アレイのカラム方向にはそれら相異なる三色に対応する発光ユニットを順次配列し、その画素アレイのロー方向には同一色に対応する発光ユニットをカラム方向沿い千鳥配置する。
【００１７】
付随的には、複数個のサブ画素により、アレイ状に配列された複数個の画素ユニットを形成し、各画素ユニットを、別々の色に対応する３個のサブ画素を有するものとし、各画素ユニット内のそれら３個のサブ画素の発光ユニットを、上記画素アレイの隣り合う２個のカラム内に配列する。
【００１８】
付随的には、各画素ユニットをロー方向に沿い１８０°反転させることで得られる配列構造を、同じカラム内で隣にある画素ユニットの配列構造とそっくりにする。
【００１９】
上掲の表示パネルに基づき、本願では上述の表示パネルを有する表示装置をも提案する。
【発明の効果】
【００２０】
本願により提供される表示パネルでは、その画素アレイの少なくとも１個の画素カラム内の複数個の発光ユニットを、少なくとも二色のサブ画素に対応させる。カラム方向沿いのサブ画素全てが同一色に対応している従来の画素配列と比べ、本願の表示装置では表示分解能及び表示均一性を効果的に改善することができる。こうしたものでは、駆動アレイの少なくとも１個のカラム内の駆動スイッチ群を同一色に対応させること、ひいては同一色に対応する駆動カラム群を専ら同一のスイッチ素子Ｐを介し周辺駆動回路に接続することができる。同じ駆動カラム内の複数個の駆動スイッチが同一色に対応していないため数個のスイッチ素子を用い周辺回路に接続することが必要な従来方法と比べ、本願の駆動アレイの配列ではスイッチ素子の個数を効果的に減らすことができ、更にはその周辺駆動回路の構造を単純化することができる。例えば、同一色に対応する駆動カラム群向けに周辺駆動回路内に設けるスイッチ信号ラインを１本だけとすることができるので、その周辺駆動回路におけるラインの本数を減らすことができる。周辺駆動回路たりうるのは例えばＣＴ回路である。
【図面の簡単な説明】
【００２１】
【図１】表示パネルの表示領域の模式的構造図である。
【図２】図１に示した表示パネルに係る駆動アレイ・周辺駆動回路間接続を示す模式図である。
【図３】本願の実施形態１に係る表示パネルの表示領域の模式的構造図である。
【図４】本願の実施形態１に係る表示パネルにおける駆動アレイ・周辺駆動回路間接続を示す模式図である。
【図５】本願の実施形態１に係る表示パネルの画素アレイの模式図である。
【図６】本願の実施形態２における表示パネルに係る駆動アレイ・周辺駆動回路間接続を示す模式図である。
【発明を実施するための形態】
【００２２】
背景技術欄で述べたように、表示パネルの表示分解能を高めるため、従来技術でよく用いられているのは、順次ＲＧＢシーケンスを基礎としておらずその画素アレイのカラム方向沿いサブ画素群が少なくとも二色に対応する不規則画素配列である。この不規則画素配列に適合させるため、駆動スイッチもＲＧＢシーケンスに従った規則的な配列とされていないことから、駆動スイッチ・発光ユニット間の電気的接続が複雑化するだけでなく、周辺駆動回路も複雑化している。
【００２３】
例えば、図１はある表示パネルの表示領域の模式的構造図である。図１に示す表示パネルでは複数個のサブ画素が基板の表示領域内に形成されており、それら複数個のサブ画素が少なくとも三色に対応している。注記すべきことに、図１にはサブ画素が６個、即ち第１サブ画素１００ａ、第２サブ画素１００ｂ、第３サブ画素１００ｃ、第４サブ画素１００ｄ、第５サブ画素１００ｅ及び第６サブ画素１００ｆしか示されていない。図１に示す複数個のサブ画素には三色、即ち赤Ｒ、緑Ｇ及び青Ｂが対応している。各サブ画素は発光ユニット１１０及び駆動スイッチ１２０を有している。各発光ユニットは第１電極１１１を有しており、駆動スイッチ１２０がその第１電極１１１に電気的に接続されている。
【００２４】
これら複数個のサブ画素内の発光ユニット１１０により画素アレイが形成されており、その画素アレイのカラム方向沿いは複数個の発光ユニット１１０があり、それらが相異なる少なくとも二色に対応している。例えば、図１に示す画素アレイでは、第１カラム内発光ユニット１１０が順に青Ｂ、赤Ｒ、緑Ｇに対応し、第２カラム内発光ユニット１１０が順に赤Ｒ、緑Ｇ、青Ｂに対応している。引き続き図１に示すように、それら複数個のサブ画素１００内の駆動スイッチ１２０により、駆動アレイが形成されている。その駆動アレイにおいては、第１カラム内駆動スイッチ１２０が順に青Ｂ、赤Ｒに対応している。第２カラム内駆動スイッチ１２０が順に赤Ｒ、緑Ｇに対応している。第３カラム内駆動スイッチ１２０が順に緑Ｇ、青Ｂに対応している。即ち、この駆動アレイでは、各カラム内の２個の駆動スイッチ１２０が、相異なる二色の発光ユニット１１０に、それぞれ電気的に接続されている。お分かりの通り、ロー方向沿い順次ＲＧＢシーケンスに従い配列されていない画素アレイでは、その画素アレイのカラム方向沿い発光ユニット群が同一色に対応していないため、その画素アレイに対応する駆動アレイのカラム方向沿いに配列された複数個の駆動スイッチも同一色に対応していない。
【００２５】
図２は、図１に示した表示パネルにおける駆動アレイ・周辺駆動回路間接続を示す模式図であり、その周辺駆動回路が例えばＣＴ回路とされている。図２に特記の通り、駆動アレイ１２では同一カラム内の駆動スイッチ１２０が同一色に対応していない。従って、同一駆動カラム内の複数個の駆動スイッチ１２０に、その色の違いを踏まえ相応なデータ信号を供給する必要がある。即ち、色の違いに基づき同一駆動カラム内に数個のスイッチ素子Ｐを作成して周辺駆動回路に接続する必要がある。ひいては、別々の色に対応する数個のスイッチ素子Ｐ向けに、周辺駆動回路内に相応なスイッチ信号ラインを設け、対応するスイッチ信号ラインを用い諸スイッチ素子Ｐの接続／切断を制御できるようにする必要もある。こうすることで、データ信号を、別々のスイッチ素子Ｐを用い別々の色のサブ画素向けに供給することができる。各駆動カラム内の複数個の駆動スイッチ１２０が少なくとも二色に対応しているため、それに対応する少なくとも２個のスイッチ素子Ｐを、各駆動カラム内に作成することも必要である。更に、様々な駆動カラム内の様々な色の駆動スイッチ１２０向けに相応なデータ信号を供給するため、多数のスイッチ信号ラインを作成して諸駆動カラム内の諸色対応スイッチ素子Ｐを制御することも必要であり、それがまさに使用する周辺駆動回路の構造を複雑化させている。例えば、図２に示すように、第１カラム内の複数個の駆動スイッチ１２０が青Ｂ，赤Ｒに対応しているので、２個のスイッチ素子Ｐを設けそれぞれスイッチ信号ラインＳＷ１，ＳＷ２に接続する必要がある。同様に、第２駆動カラム内に２個のスイッチ素子Ｐを配置し、それに呼応しスイッチ信号ラインＳＷ３，ＳＷ４を設けることも必要である。更に、第３駆動カラム内に２個のスイッチ素子Ｐを配置し、それに呼応しスイッチ信号ラインＳＷ５，ＳＷ６を設けることも必要である。
【００２６】
不規則画素配列を用い、画素アレイのカラム方向沿いにある複数個の発光ユニットを少なくとも二色に対応可能とすることで、表示パネルの表示分解能及び表示均一性を改善することができる。しかしながら、図１及び図２から分かるように、そうした配列ではサブ画素内発光ユニット・駆動スイッチ間接続が複雑化し、更には周辺駆動回路の構造が複雑化する。
【００２７】
そこで、本願にて提案する表示パネルでは、複数個のサブ画素を表示領域内に形成する。各サブ画素に発光ユニット及び駆動スイッチを設ける。各発光ユニットに第１電極を設ける。その駆動スイッチを第１電極に電気的に接続する。複数個のサブ画素内の発光ユニットで画素アレイを形成し、その画素アレイの少なくとも１個の画素カラム内の複数個の発光ユニットを、少なくとも二色のサブ画素群に対応させる。複数個のサブ画素内の駆動スイッチで駆動アレイを形成する。駆動アレイ内の少なくとも１個の画素カラムに対応接続された駆動カラムのうち、少なくとも１個の駆動カラム内の複数個の駆動スイッチを、全て、同一色の発光ユニットを駆動制御するのに用いる。
【００２８】
即ち、本願の表示パネルでは、引き続き不規則画素配列を用い、その画素アレイを、カラム方向沿いの複数個の発光ユニット２１０が同一色対応でない画素カラムを有するものにすることで、表示パネルの高分解能を確保している。こうしたものでは、その駆動アレイの少なくとも１個のカラム内の複数個の駆動スイッチを、同一色の発光ユニットに電気的に接続する。対応するカラムでは、複数個の駆動スイッチが全て同一色に対応するので、それに対応する駆動カラムを表示パネルの周辺駆動回路に単一のスイッチ素子を用い接続することができ、また当該対応する駆動カラム向けのスイッチ信号ラインを周辺駆動回路内に１本しか設ける必要がないので、その周辺駆動回路の構造を単純化することができる。更に、本願では不規則画素配列に依拠し周辺駆動回路を単純化することができる。加えて、発光ユニット及び駆動スイッチに電気的に接続されている第１電極のレイアウト構造を、それら発光ユニット及び駆動スイッチの相対位置に従い調整することもでき、ひいては発光ユニット・駆動スイッチ間接続を単純化することができる。自明な通り、不規則画素配列を用いる諸表示パネルにて、駆動アレイの配列や発光ユニット・駆動スイッチ間接続を、本願の中核着想に従い相応に調整して周辺駆動回路を単純化することができる。
【００２９】
以下、添付図面及び具体的実施形態を参照し、本願の表示パネル及び表示装置を更に詳述する。以下の記述から本願の長所及び特徴がより明らかになろう。注記すべきことに、添付図面は必ずしも同縮尺で表現されていない極単純な形態で提示されており、その意図はただ一つ、本願の実施形態を説明する際の便宜及び明瞭性を適えることにある。
【００３０】
図３は、本願の実施形態１における表示パネルの表示領域の模式的構造図である。図３に示す表示パネルは、表示領域内に形成された複数個のサブ画素２００を有している。それら複数個のサブ画素２００は少なくとも三色、例えば赤Ｒ、青Ｂ及び緑Ｇに対応している。本実施形態では、複数個のサブ画素２００が三色に対応する例を用い、説明及び記述がなされている。これに代え、表示パネルの表示効果を更に改善すべく、それら複数個のサブ画素を四色、例えば赤、緑、青及び白や赤、緑、青及び黄に対応させてもよい。加えて、図３には６個のサブ画素２００のみを模式的に示したが、表示パネルにおけるサブ画素の実数はこれに限定されず、実際的要請に従い定めることができる。各サブ画素２００は発光ユニット２１０及び駆動スイッチ２２０を有している。各発光ユニット２１０は第１電極２１１を有しており、駆動スイッチ２２０はその第１電極２１１に電気的に接続されている。更に、発光ユニット２１０は、第２電極（この図には示さず）や、第１電極２１１・第２電極間に所在する発光層（この図には示さず）も、有している。第１電極２１１はアノードとして働かせることができ、第２電極はカソードとして働かせることができる。更に、駆動スイッチ２２０は駆動トランジスタを有しており、その駆動トランジスタのドレイン電極が第１電極２１１に電気的に接続されている。
【００３１】
複数個のサブ画素２００の発光ユニット２１０により画素アレイが形成され、同一カラム内の複数個の発光ユニット２１０により画素カラムが形成されている。その画素アレイの少なくとも１個の画素カラム内の複数個の発光ユニットは、相異なる少なくとも二色のサブ画素に対応している。即ち、この画素アレイは、カラム方向沿いの複数個の発光ユニット２１０が相異なる少なくとも二色に対応する画素カラムを有している。例えば、この画素アレイでは、幾つかの画素カラム内の複数個の発光ユニットが、相異なる少なくとも二色に対応しており、他の画素カラム内の複数個の発光ユニットが、一色だけに対応している。これに代え、画素アレイの各画素カラム内の複数個の発光ユニットが、少なくとも二色に対応するのでもよい。
【００３２】
更に、複数個のサブ画素２００の駆動スイッチ２２０により駆動アレイが形成され、同一カラム内の複数個の駆動スイッチ２２０により駆動カラムが形成されている。その駆動アレイでは、少なくとも二色に対応する画素カラムに対応接続されている駆動カラムのうち、少なくとも１個のカラム内の複数個の駆動スイッチ２２０が同一色の発光ユニット２１０に電気的に接続されている。
【００３３】
即ち、不規則画素配列では、画素アレイに備わる画素カラムのなかに、カラム方向沿いの複数個の発光ユニット２１０が同一色に対応していないものがあるので、その表示パネルの表示分解能を効果的に改善することができる。こうしたものでは、その駆動アレイの少なくとも１個のカラム内の駆動スイッチが同一色に対応するので、同一色に対応する駆動カラムを単一のスイッチ素子を用い周辺駆動回路に接続することができ、且つ、対応する駆動カラム向けに周辺駆動回路内にスイッチ信号ラインを１本しか作成する必要がないので、その周辺駆動回路の構造を効果的に単純化することができる。注記すべきことに、本明細書中の語「カラム」は所定空間の意味でのカラムを指してはいない。例えば、それを別の角度から見て「ロー」と称することもできる。同様に、本明細書中の語「ロー」も、別の角度から見て「カラム」と称することができる。
【００３４】
以下、具体的な画素配列について説明及び記述する。図４は、本願の実施形態１の表示パネルにおける駆動アレイ・周辺駆動回路間接続を示す模式図である。図５は、本願の実施形態１における表示パネルの画素アレイの模式図である。本実施形態では、専ら、図３及び図５に示す画素アレイを例として用いる。しかしながら、注記すべきことに、画素アレイのカラム方向沿いの複数個の発光ユニットが同一色に対応していなければ、駆動アレイの配列を本願の中核着想に従い調整することができる。
【００３５】
図３及び図５に示すように、画素アレイ２１では、少なくとも１個の画素カラム内の複数個の発光ユニット２１０が相異なる少なくとも二色のサブ画素に対応する結果、画素アレイ２１に、カラム方向沿いの複数個の発光ユニット２１０が少なくとも二色に対応する画素カラムが、備わることとなる。例えば、本実施形態では各画素カラム内の複数個の発光ユニット２１０が少なくとも二色に対応している。図５に示す画素アレイ２１には、カラム方向に沿い赤Ｒ、緑Ｇ及び青Ｂがそれぞれ構成されている。
【００３６】
図３及び図４に併せ示すように、駆動アレイ２２では、同一駆動カラム内の複数個の駆動スイッチ２２０が同一データラインに接続され、そのデータラインがスイッチ素子Ｐを用い周辺駆動回路に接続されている。具体的には、同一色に対応する駆動カラムでは、そのデータラインが単一のスイッチ素子Ｐを用い周辺駆動回路に接続されている。複数色に対応する駆動カラムでは、複数色に対応する駆動スイッチ２２０がそれぞれ数個のスイッチ素子Ｐを用い周辺駆動回路に接続されている。例えば図４では、第２カラム内駆動スイッチ２２０が全て緑Ｇに対応していて、全てデータラインＳ２に接続されている。そのデータラインＳ２が単一のスイッチ素子Ｐを用い周辺駆動回路に接続されている。第１カラム及び第３カラムの両者には、赤Ｒに対応する駆動スイッチ２２０と青Ｂに対応するそれとが存している。そのため、第１カラムに対応するデータラインＳ１並びに第３カラムに対応するデータラインＳ３は、それぞれ２個のスイッチ素子Ｐを用い周辺駆動回路に接続されている。
【００３７】
本実施形態では、画素アレイ２１の各画素カラムが少なくとも二色に対応する画素配列を踏まえ、駆動アレイの配列を調整することで、その駆動アレイ内の少なくとも１個の駆動カラムを同一色に対応させている。しかしながら、注記すべきことに、他の実施形態によれば、画素アレイ内の幾つかの画素カラムが少なくとも二色に対応し且つ画素アレイ内の他の画素カラムが単一色に対応している場合に、駆動スイッチの配列を引き続き調整することで、少なくとも１個の駆動カラムを同一色に対応させることができる。例えば、他の実施形態のなかには、ある画素カラム内に赤発光ユニット及び青発光ユニットがあり、他の画素カラム内に緑発光ユニットのみがあるものがある。この場合、緑発光ユニットに電気的に接続された駆動スイッチは、独立的に且つカラム方向に沿い反復的に配列されるので、専ら必要なのは、赤駆動スイッチ及び青駆動スイッチの配列を調整することである。即ち、赤駆動スイッチが独立的に且つカラム方向に沿い反復的に配列され、青駆動スイッチも独立的に且つカラム方向に沿い反復的に配列される。
【００３８】
引き続き図４に示すように、この表示パネルの周辺駆動回路は非表示領域内に所在しており、駆動スイッチ向けにデータ信号を供給するのに用いられるソース駆動回路を有している。ソース駆動回路は、同一駆動カラム内にあり別々の色に対応している駆動スイッチ２２０向けに、別々のスイッチ素子Ｐを用い相応なデータ信号を供給する。即ち、ソース駆動回路は、同一色に対応する駆動スイッチには同一のスイッチ素子Ｐを用い相応なデータ信号を供給する。そのため、同一駆動カラム内駆動スイッチが複数色に対応している場合に、対応色の駆動スイッチ向けに数個のスイッチ素子Ｐを用いてデータ信号を供給することが、必要となる。
【００３９】
周辺駆動回路はゲートラインに接続されたゲート駆動回路をも有しており、それを用いゲート駆動信号が供給されている。駆動アレイ２２では同一ロー内の複数個の駆動スイッチ２２０が同一ゲートラインに接続されている。例えば、図４に専ら示されているところによれば、駆動スイッチ２２０が４個のロー及び３個のカラムをなし配列され、４本のゲートラインに然るべく接続されている。更に、各駆動スイッチ２２０はスイッチトランジスタをも有しており、そのスイッチトランジスタのソースがデータラインに接続され且つそのスイッチトランジスタのゲートがゲートラインに接続されている。
【００４０】
具体的には、ソース駆動回路が数本のスイッチ信号ライン（ＳＷ１’、ＳＷ２’及びＳＷ３’）及び数本のデータ信号ライン（Ｄ１’、Ｄ２’及びＤ３’）を有している。スイッチ素子Ｐがそれらスイッチ信号ライン及びデータ信号ラインに接続されている。スイッチ信号ライン（ＳＷ１’／ＳＷ２’／ＳＷ３’）を用いスイッチ素子Ｐの導通を制御すること、ひいてはそのスイッチ素子Ｐを用いデータ信号ライン（Ｄ１’／Ｄ２’／Ｄ３’）で対応色の駆動スイッチ２２０向けにデータ信号を供給することができる。更に、スイッチ素子Ｐはトランジスタスイッチであり、そのトランジスタスイッチのゲートがスイッチ信号ラインに接続されている。
【００４１】
同一カラム内の複数個の駆動スイッチ２２０が同一色に対応している場合、対応する駆動カラムのデータラインが単一のスイッチ素子Ｐによりソース駆動回路に接続されるので、周辺駆動回路内にスイッチ信号ラインを１本しか設ける必要がない。例えば図４では、第２駆動カラム内データラインＳ２が単一のスイッチ素子Ｐに電気的に接続されており、そのスイッチ素子Ｐを制御するのに単一のスイッチ信号ラインＳＷ３’しか設ける必要がないので、周辺駆動回路におけるスイッチ信号ラインの本数が減り、それにつれスイッチ素子Ｐの個数が減る。好ましいことに、別々の駆動カラム内にあり同一色の駆動スイッチ２２０に対応しているスイッチ素子Ｐを全て、同一スイッチ信号ラインに接続することができる。例えば図４では、赤Ｒの駆動スイッチ２２０に対応する数個のスイッチ素子Ｐを全て、同一スイッチ信号ラインＳＷ２’に接続することができる。青Ｂの駆動スイッチ２２０に対応する数個のスイッチ素子Ｐを全て、同一スイッチ信号ラインＳＷ１’に接続することができる。
【００４２】
図４に特記の通り、駆動アレイ２２内の同一色対応でない駆動カラム全てで、各駆動カラム内の複数個の駆動スイッチ２２０が少なくとも二色のサブ画素に対応している。本実施形態では、同一色対応でない駆動カラム全てで、各駆動カラム内の複数個の駆動スイッチ２２０が二色に対応している。諸駆動カラムにおけるそれら対応二色は同一であり（即ち諸駆動カラムにおける対応二色は青及び赤、或いは青及び緑、或いは赤及び緑であり）、それら二色の駆動スイッチを交互に配列することができる。具体的には、複数個のサブ画素２００が三色に対応している場合、それらのうち一色に対応する駆動スイッチ２２０が独立的に且つカラム方向に沿い反復的に配列される一方、他の二色に対応する駆動スイッチ２２０がカラム方向に沿い交互配列される。例えば、赤Ｒに対応する駆動スイッチ２２０が、独立的に且つカラム方向に沿い反復的に、１個又は複数個のカラム内に配列される一方、他の二色（緑Ｇ及び青Ｂ）に対応する駆動スイッチ２２０がカラム方向に沿い１個又は複数個のカラム内に交互に配列される。
【００４３】
このように、同一色に対応する駆動カラム全てで、各駆動カラム内の駆動スイッチも同一色に対応し、ひいてはそれら駆動カラムに対応するデータラインも同一色に対応している。従ってそれらデータラインを同一スイッチ信号ラインに接続することができる。同じ二色に対応する複数個の駆動カラムでは各データラインが２個のスイッチ素子Ｐに電気的に接続されるところ、それら二色のうち一色に対応する駆動スイッチに対応するスイッチ素子を全て同一スイッチ信号ラインに接続すること並びにそれら二色のうち他の一色に対応する駆動スイッチに対応するスイッチ素子を全て別の１本のスイッチ信号ラインに接続することができる。お分かりの通り、同じ二色に対応する駆動カラム全てに関し、周辺駆動回路内にスイッチ信号ラインを２本しか設ける必要がないので、スイッチ信号ラインの本数が更に減り周辺駆動回路の構造が単純化される。
【００４４】
本実施形態では、サブ画素が三色に対応しており、緑Ｇの駆動スイッチ２２０が独立的に且つカラム方向に沿い反復的に配列されている。即ち、図４中の第２カラム内駆動スイッチ２２０が全て緑Ｇに対応しており、それを全て同一データラインＳ２に接続することができる。そのデータラインＳ２が、更に、単一のスイッチ素子Ｐを用いスイッチ信号ラインＳＷ３’及びデータ信号ラインＤ３’に接続されている。加えて、第１カラム内及び第３カラム内の駆動スイッチ２２０がどちらも同じ二色に対応している。この場合、逆駆動方式を用いることで、第１カラム内駆動スイッチ２２０と第３カラム内のそれとで２本のスイッチ信号ラインを共有し、周辺駆動回路の構造を最適化することができる。具体的には、第１カラム内駆動スイッチ２２０が赤Ｒ及び青Ｂに対応しており、そしてその第１カラムのデータラインＳ１が２個のスイッチ素子に接続されている。一方のスイッチ素子Ｐがスイッチ信号ラインＳＷ１’及びデータ信号ラインＤ１’に接続されている。従って、そのスイッチ信号ラインＳＷ１’を用いそのスイッチ素子Ｐの導通を制御すること、ひいては青Ｂの駆動スイッチ２２０向けにデータ信号を供給することができる。他方のスイッチ素子Ｐはスイッチ信号ラインＳＷ２’及びデータ信号ラインＤ２’に接続されている。従って、スイッチ信号ラインＳＷ２’を用いそのスイッチ素子Ｐの導通を制御すること、ひいては赤Ｒの駆動スイッチ２２０向けにデータ信号を供給することができる。同様に、第３カラム内駆動スイッチ２２０がやはり赤Ｒ及び青Ｂに対応している。そして、その第３カラムのデータラインＳ３に接続されている２個のスイッチ素子Ｐのうち、第１スイッチ素子がスイッチ信号ラインＳＷ２’及びデータ信号ラインＤ１’に接続され、第２スイッチ素子がスイッチ信号ラインＳＷ１’及びデータ信号ラインＤ２’に接続されている。
【００４５】
お分かりの通り、複数個のサブ画素が三色に対応している場合、それらのうち一色に対応する駆動スイッチを同一カラム内に配置し、他の２個のカラム内の駆動スイッチを他の二色に対応させることができる。従って、周辺駆動回路にて、逆駆動方式に従いその周辺駆動回路の構造を更に単純化することができる。
【００４６】
引き続き図３に示すように、各駆動スイッチ２２０がコンタクトホール２３０を介し第１電極２１１に電気的に接続されている。具体的には、第１電極２１１がコンタクトホール２３０を介し駆動スイッチ２２０のドレインに接続されている。お分かりの通り、発光ユニット２１０及び駆動スイッチ２２０の配列は第１電極２１１のレイアウト構造に直に影響してくる。具体的には、駆動スイッチ２２０のドレインと対応する発光ユニット２１０の相対位置によって第１電極２１１のレイアウト構造が部分的に定まる。
【００４７】
例えば、図１中の第１電極１１１のレイアウト構造では６個のサブ画素が模式的に示されている。第１サブ画素１００ａ、第２サブ画素１００ｂ、第４サブ画素１００ｄ及び第６サブ画素１００ｆでは、駆動スイッチ１２０のドレインに対応するコンタクトホール１３０それぞれが、対応する発光ユニット１１０の一辺に所在している。この場合、各第１電極１１１を発光ユニット１１０からその発光ユニットの一辺にあるコンタクトホール１３０の位置まで延ばすことで、第１電極１１１・コンタクトホール１３０間電気的接続を果たすことができる。しかしながら、第３サブ画素１００ｃ及び第５サブ画素１００ｅでは、各駆動スイッチ１２０が対応する発光ユニット１１０の一辺に所在しておらず、別のサブ画素の発光ユニットの一辺に配置されているので、第１電極１１１を当該別のサブ画素の発光ユニットの縁に沿い延ばすことで、対応するコンタクトホールに接続しうるようにする必要がある。例えば第３サブ画素１００ｃでは、その第１電極１１１を第２サブ画素１００ｂの発光ユニットの縁と第６サブ画素１００ｆの発光ユニットの縁とに沿い延ばし、第６サブ画素１００ｆの発光ユニットを迂回することで、それに対応するコンタクトホール１３０に接続しうるようにする必要がある。
【００４８】
お分かりの通り、図１における発光ユニット１１０及び駆動スイッチ１２０の配列では、発光ユニット１１０内第１電極１１１と対応する駆動スイッチ１２０のコンタクトホール１３０との間の電気的接続を果たすに当たり、第１電極１３０の設計レイアウトがやや複雑化して各第１電極１１１の面積が増加する。本実施形態では、図１に示した発光ユニットの配列を変えることなく、発光ユニットに対する駆動スイッチの位置を調整すること、言い換えれば駆動スイッチのドレインと第１電極との間の接続を調整することができ、それにより第１電極のレイアウト構造を単純化することができる。
【００４９】
引き続き図３に示すように、本実施形態では、同一所定色に対応する駆動カラムが隣り合う２個の画素カラム間に配列されているので、当該同一所定色に対応する第１電極２１１をそれら２個の画素カラム間の領域まで延ばすだけで、その所定色に対応する駆動スイッチ２２０のコンタクトホール２３０との接続を果たすことができる。駆動スイッチ２２０は駆動トランジスタを有しており、コンタクトホール２３０はその駆動トランジスタのドレインと第１電極２３０とに接続されている。そのため、ご理解頂けるように、図３に示した正方形開口の位置が、駆動スイッチ２２０内駆動トランジスタのドレインの位置に対応している。
【００５０】
図３に具体的に示されているように、図３に示した６個のサブ画素２００では、所定色に対応する２個の駆動スイッチ２２０が、隣り合う２個の画素カラム間の領域内に配置されている。例えば、緑Ｇの発光ユニット２１０に電気的に接続された２個の駆動スイッチが、同一カラム内に且つ隣り合う２個の画素カラム間に配列され、ひいては隣り合う２個の画素カラム間のスペースが効果的に利用されている。こうしたものでは、緑サブ画素に対応する第１電極２３０が隣り合う２個の画素カラム間の領域まで延びている限り、その発光ユニット内の第１電極２３０を、その所定色に対応する駆動スイッチのコンタクトホール２３０に、別の発光ユニットの縁に沿い更に延ばすことなく接続することができる。そのため、第１電極２３０の面積が効果的に低減され且つ第１電極２３０のレイアウト構造が単純化されて、駆動スイッチ２２０・第１電極２１１間接続が単純化される。
【００５１】
以下、主に図５に基づき、本実施形態の画素アレイ２１について詳述する。この画素アレイ２１の画素カラムでは、発光ユニット２１０が同一色に対応していない。本実施形態では、画素アレイ２１内発光ユニットがカラム方向に沿い三色、即ち青Ｂ、赤Ｒ及び緑Ｇに対応している。それら三色に対応する発光ユニット２１０が順次配列されている。とはいえ、注記すべきことに、他の実施形態では、画素アレイ内発光ユニットがカラム方向に沿いそれら三色のうち二色のみに対応していることもある。画素アレイ２１のロー方向には同一色の発光ユニット２１０が千鳥配置されており、ひいてはロー方向沿いでも発光ユニット２１０が同一色に対応していないため、表示パネルの表示均一性が更に増強される。
【００５２】
更に、具体的な表示パネル内の画素ユニットも実際的な状況に従い定義することができる。複数個のサブ画素により、アレイをなし配列された複数個の画素ユニットを形成し、各画素ユニットに、別々の色に対応する少なくとも３個のサブ画素を設けるのである。本実施形態では、引き続き図５に示すように、隣り合う３個の色違いの発光ユニット２１０に対応する３個のサブ画素が、１個の画素ユニットとして定義される。例えば、図５に示すように、カラム方向に沿い隣り合う３個の発光ユニット２１０に対応する３個のサブ画素が画素ユニット２０ａとして定義される。また、隣り合う２個の画素カラム内にあり隣り合う３個の色違いの発光ユニット２１０に対応する３個のサブ画素が、画素ユニット２０ｂとして定義される。即ち、画素ユニット２０ｂ内の３個のサブ画素の発光ユニット２１０が、画素アレイ２１の隣り合う２個のカラムをなし配列される。この場合、ロー方向に沿い各画素ユニット２０ｂを１８０°反転することで得られる配列構造が、同カラム内隣接画素ユニット２０ｂの配列構造とそっくりになる。注記すべきことに、画素ユニットはその表示パネルの具体的アルゴリズムに従い定義すればよく、本願ではそれを模式的に述べたがそれに限定されるものではない。
【００５３】
［実施形態２］
本実施形態・実施形態１間の違いは、本実施形態では複数個のサブ画素が四色、例えば赤、緑、青及び白或いは赤、緑、青及び黄に対応していることにある。それら複数個のサブ画素の発光ユニットにより形成される画素アレイは、カラム方向に沿い、二色に対応する画素カラム群を有する。例えば、その画素アレイにて、幾つかの画素カラムを四色のうち二色（例えば青及び白）に対応させ、他の画素カラムを他の二色（例えば赤及び緑）に対応させる。
【００５４】
図６に特記の通り、それら複数個のサブ画素の駆動スイッチ群は、四色の発光ユニットに電気的に接続されている。それら駆動スイッチ３２０により形成される駆動アレイ３２では、四色のうち一色のみに対応する複数個の駆動スイッチ３２０が、独立的に且つカラム方向に沿い反復的に配列されている。これに代え、四色のうち二色に対応する駆動スイッチ３２０を、独立的に且つ対応するカラム内に反復的に配列し、他の二色に対応する駆動スイッチ３２０を、カラム方向に沿い交互に配列してもよい。例えば、図６に示す複数個のサブ画素２００は緑Ｇ、青Ｂ、赤Ｒ及び白Ｗに対応している。ひいては、緑Ｇに対応する複数個の駆動スイッチ３２０が、独立的に且つカラム方向に沿い反復的に配列され、且つデータラインＳ２３に接続されている。白Ｗに対応する複数個の駆動スイッチ３２０が、独立的に且つカラム方向に沿い反復的に配列され、且つデータラインＳ２２に接続されている。青Ｂに対応する複数個の駆動スイッチ３２０と赤Ｒに対応するそれとが、カラム方向に沿い交互に配列されている。第１駆動カラム内駆動スイッチ３２０がデータラインＳ２１に接続され、第４駆動カラム内駆動スイッチ３２０がデータラインＳ２４に接続されている。
【００５５】
データラインＳ２２が同一色の駆動スイッチに接続されており、データラインＳ２３が同一色の駆動スイッチに接続されている。従って、データラインＳ２２及びＳ２３を、１個のスイッチ素子Ｐを用いスイッチ信号ラインＳＷ３に別々に接続し、データ信号ラインＤ３／Ｄ４を介し別々の色の駆動スイッチ３２０向けにデータ信号をそれぞれ供給することができる。データラインＳ２１及びＳ２４は、どちらも、赤Ｒに対応する駆動スイッチ３２０及び青Ｂに対応するそれに接続されている。従って、データラインＳ２１及びＳ２４を、２個のスイッチ素子Ｐを用いスイッチ信号ライン及びデータ信号ラインに別々に接続することができる。赤Ｒ及び青Ｂに対応する駆動カラムでは、別々のデータラインに対応する同一色制御用のスイッチ素子を、逆駆動方式を用い同じスイッチ信号ラインに接続することができる。別々の色に対応する駆動スイッチは、相異なる二色向けの相異なる２本のデータ信号ラインを用い制御される。こうしたものでは、スイッチ信号ラインの本数を効果的に減らして周辺駆動回路を最適化することができる。例えば、第１駆動カラム内データラインＳ２１については、そのスイッチ素子Ｐのうち一方のドレイン，ソースがそれぞれスイッチ信号ラインＳＷ１，データ信号ラインＤ１に接続され、他方のスイッチ素子Ｐのドレイン，ソースがそれぞれスイッチ信号ラインＳＷ２，データ信号ラインＤ２に接続されている。第４駆動カラム内データラインＳ２４については、そのスイッチ素子Ｐのうち一方のドレイン，ソースがそれぞれスイッチ信号ラインＳＷ２，データ信号ラインＤ１に接続され、他方のスイッチ素子Ｐのドレイン，ソースがそれぞれスイッチ信号ラインＳＷ１，データ信号ラインＤ２に接続されている。
【００５６】
更に、上掲の表示パネルに基づき、本願では上述の表示パネルを有する表示装置も提供される。その表示装置は所望の表示分解能及び表示均一性を然るべく呈するものであり、その表示装置の周辺駆動回路の構造は単純である。
【００５７】
まとめると、カラム方向沿い発光ユニット群が同一色に対応する従来の画素配列とは違い、本願により提供される表示パネルでは画素アレイのカラム方向に沿い複数色が適用されるので、本願の表示パネルはより良好な表示分解能と表示均一性を呈するものとなる。こうしたものでは、駆動アレイの少なくとも１個のカラム内の駆動スイッチ群が同一色に対応するので、周辺駆動回路内の対応するカラム内にスイッチ信号ラインを１本しか設ける必要がなく、従ってその周辺駆動回路の構造が効果的に単純化される。
【００５８】
以上は単に本願の好適実施形態を物語るに過ぎず、本願を限定することを意図していない。本件技術分野における通常程度熟練者（いわゆる当業者）により開示内容に従いなされる置換及び修正は全て、本願の特許請求の範囲の保護範囲内に収まる。
【図１】
2020510883.tif 000003
【図２】
2020510883.tif 000004
【図３】
2020510883.tif 000005
【図４】
2020510883.tif 000006
【図５】
2020510883.tif 000007
【図６】
2020510883.tif 000008
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
表示領域内に形成された複数個のサブ画素を備え、各サブ画素が発光ユニット及び駆動スイッチを備え、その発光ユニットが第１電極を備え、上記駆動スイッチがその第１電極に電気的に接続されており、上記複数個のサブ画素内の発光ユニット群が複数個の画素カラムを備える画素アレイを形成しており、その画素アレイの少なくとも１個の画素カラム内の発光ユニット群が相異なる少なくとも二色のサブ画素群に対応しており、上記複数個のサブ画素内の駆動スイッチ群が駆動アレイを形成しており、その駆動アレイ内にあり、上記少なくとも１個の画素カラムに対応接続されている駆動カラムのうち、少なくとも１個の駆動カラム内の駆動スイッチが、同一色の発光ユニットを駆動制御する表示パネル。
【請求項２】
請求項１の表示パネルであって、更に、非表示領域内に所在する周辺駆動回路を備え、その周辺駆動回路が、上記駆動スイッチ群にデータ信号群を供給するソース駆動回路を備える表示パネル。
【請求項３】
請求項２の表示パネルであって、更に複数個のスイッチ素子を備え、上記ソース駆動回路が、同一駆動カラム内にあり相異なる色に対応している駆動スイッチ群向けに、別々のスイッチ素子により相応なデータ信号群を供給する表示パネル。
【請求項４】
請求項３の表示パネルであって、上記ソース駆動回路が複数本のスイッチ信号ライン及び複数本のデータ信号ラインを備え、上記スイッチ素子群がそれらスイッチ信号ライン及びデータ信号ラインに接続されており、上記スイッチ信号ラインが上記スイッチ素子の導通を制御するのに用いられ、上記データ信号ラインが上記スイッチ素子により相応色の駆動スイッチ向けにデータ信号を供給する表示パネル。
【請求項５】
請求項４の表示パネルであって、別々の駆動カラム内にあり同一色の駆動スイッチに対応するスイッチ素子それぞれが同一のスイッチ信号ラインに接続されている表示パネル。
【請求項６】
請求項４の表示パネルであって、同一色対応でない駆動カラムそれぞれにて、その駆動カラム内の複数個の駆動スイッチが少なくとも二色のサブ画素群に対応する表示パネル。
【請求項７】
請求項１の表示パネルであって、上記複数個のサブ画素の発光ユニット群が相異なる三色に対応しており、そのうち一色に対応する駆動スイッチが独立的に且つカラム方向に沿い反復的に配列される一方、他の二色に対応する駆動スイッチがカラム方向に交互配列されているか、
上記複数個のサブ画素の発光ユニット群が相異なる四色に対応しており、それら相異なる四色のうち二色に対応する駆動スイッチが独立的に且つ個々のカラム内に反復的に配列される一方、他の二色に対応する駆動スイッチがカラム方向に沿い交互配列されている表示パネル。
【請求項８】
請求項１の表示パネルであって、各駆動スイッチがコンタクトホールを介し第１電極に電気的に接続されており、同一所定色に対応する駆動カラムが隣り合う２個の画素カラム間に配列されており、上記同一所定色に対応する第１電極が、上記２個の画素カラム間の領域へと延びて、当該同一所定色に対応する駆動スイッチのコンタクトホールに接続されている表示パネル。
【請求項９】
請求項１の表示パネルであって、上記複数個のサブ画素が相異なる三色に対応しており、上記画素アレイのカラム方向にはそれら相異なる三色に対応する発光ユニットが順次配列され、その画素アレイのロー方向には同一色に対応する発光ユニットがカラム方向沿い千鳥配置されている表示パネル。
【請求項１０】
請求項１の表示パネルであって、アレイをなし配列された複数個の画素ユニットが複数個のサブ画素により形成されており、各画素ユニットが、別々の色に対応する３個のサブ画素を備え、各画素ユニット内のそれら３個のサブ画素の発光ユニットが上記画素アレイの隣り合う２個のカラム内に配列されている表示パネル。
【国際調査報告】
2020510883.tif 000009
2020510883.tif 000010
2020510883.tif 000011
2020510883.tif 000012